(57)【要約】【課題】超音波プローブ装置を見ただけで、超音波診断装置本体に超音波プローブ装置を正常に結合できたか否かを視認できるようにする。【解決手段】超音波プローブ装置１００のコネクタボックス１０にアクティブ状態表示用ＬＥＤ１５ａおよびスリープ状態表示用ＬＥＤ１５ｓを設ける。インジケータ制御部１５ｃは、超音波診断装置本体からアクティブフラグセット信号を受け取り且つロック機構のスイッチ１５ｄが「オン」ならアクティブ状態表示用ＬＥＤ１５ａを点灯する。また、超音波診断装置本体からスリープフラグセット信号を受け取り且つロック機構のスイッチ１５ｄが「オン」ならスリープ状態表示用ＬＥＤ１５ａを点灯する。【効果】超音波診断装置本体に超音波プローブ装置１００を結合した時、インジケータ部１５の点灯状態を見れば、正常に結合できたか否かが判る。【選択図】図３
2007330490.tif 000002
【特許請求の範囲】
【請求項１】
超音波診断装置本体のプローブコネクタ部に結合されるコネクタ部を第１面に有すると共に前記超音波診断装置本体のプローブコネクタ部に前記コネクタ部を正常に結合した状態で点灯するインジケータ部を第２面に有するコネクタボックスと、前記コネクタボックスにケーブルで接続された超音波探触子とを具備したことを特徴とする超音波プローブ装置。
【請求項２】
請求項１に記載の超音波プローブ装置において、前記第２面が前記第１面の反対側面であることを特徴とする超音波プローブ装置。
【請求項３】
請求項１または請求項２に記載の超音波プローブ装置において、前記インジケータ部は、当該超音波プローブ装置がアクティブ状態かスリープ状態かで点灯状態が変わることを特徴とする超音波プローブ装置。
【請求項４】
請求項３に記載の超音波プローブ装置において、前記インジケータ部は、当該超音波プローブ装置がアクティブ状態かスリープ状態かで点灯色が変わることを特徴とする超音波プローブ装置。
【請求項５】
請求項３または請求項４に記載の超音波プローブ装置において、前記インジケータ部は、当該超音波プローブ装置がアクティブ状態かスリープ状態かで点灯光度が変わることを特徴とする超音波プローブ装置。
【請求項６】
請求項３から請求項５のいずれかに記載の超音波プローブ装置において、前記インジケータ部は、当該超音波プローブ装置がアクティブ状態のときに点灯する光源とスリープ状態のときに点灯する光源とをそれぞれ有することを特徴とする超音波プローブ装置。
【請求項７】
請求項１から請求項６のいずれかに記載の超音波プローブ装置において、前記インジケータ部は、ネームプレートを兼ねていることを特徴とする超音波プローブ装置。
【請求項８】
請求項１から請求項７のいずれかに記載の超音波プローブ装置において、前記超音波診断装置本体のプローブコネクタ部に前記コネクタ部を結合した状態でロックするロック機構を前記コネクタボックスに具備し、前記ロックが解除されている状態では前記インジケータ部は点灯しないことを特徴とする超音波プローブ装置。
【請求項９】
プローブコネクタ部を有する超音波診断装置本体と、前記プローブコネクタ部に結合されるコネクタ部を第１面に有すると共に前記超音波診断装置本体のプローブコネクタ部に前記コネクタ部を正常に結合した状態で点灯するインジケータ部を第２面に有するコネクタボックスと、前記コネクタボックスにケーブルで接続された超音波探触子とを具備したことを特徴とする超音波診断装置。
【請求項１０】
請求項９に記載の超音波診断装置において、前記第２面が前記第１面の反対側面であることを特徴とする超音波診断装置。
【請求項１１】
請求項９または請求項１０に記載の超音波診断装置において、前記インジケータ部は、前記超音波プローブ装置がアクティブ状態かスリープ状態かで点灯状態が変わることを特徴とする超音波診断装置。
【請求項１２】
請求項１１に記載の超音波診断装置において、前記インジケータ部は、前記超音波プローブ装置がアクティブ状態かスリープ状態かで点灯色が変わることを特徴とする超音波診断装置。
【請求項１３】
請求項１１に記載の超音波診断装置において、前記インジケータ部は、前記超音波プローブ装置がアクティブ状態かスリープ状態かで点灯光度が変わることを特徴とする超音波診断装置。
【請求項１４】
請求項１１または請求項１２に記載の超音波診断装置において、前記インジケータ部は、前記超音波プローブ装置がアクティブ状態のときに点灯する光源とスリープ状態のときに点灯する光源とをそれぞれ有することを特徴とする超音波診断装置。
【請求項１５】
請求項９から請求項１４のいずれかに記載の超音波診断装置において、前記インジケータ部は、ネームプレートを兼ねていることを特徴とする超音波診断装置。
【請求項１６】
請求項９から請求項１５のいずれかに記載の超音波診断装置において、前記超音波診断装置本体のプローブコネクタ部に前記コネクタ部を結合した状態でロックするロック機構を前記コネクタボックスに具備し、前記ロックが解除されている状態では前記インジケータ部は点灯しないことを特徴とする超音波診断装置。
【発明の詳細な説明】
【技術分野】
【０００１】
本発明は、超音波プローブ装置および超音波診断装置に関し、さらに詳しくは、超音波プローブ装置を見ただけで、超音波診断装置本体に超音波プローブ装置を正常に結合できたか否かを知ることが出来る超音波プローブ装置および超音波診断装置に関する。
【背景技術】
【０００２】
従来、操作部と同一方向面にプローブコネクタ部を設けた超音波診断装置本体と、超音波診断装置本体の操作部と同一方向面に超音波プローブ装置の種類を目視にて識別するための情報表示部を設けた超音波プローブ装置とが知られている（例えば、特許文献１参照。）。
【特許文献１】特開２００１−２５８８８１号公報
【発明の開示】
【発明が解決しようとする課題】
【０００３】
上記従来の超音波プローブ装置では、超音波診断装置本体の表示部を見れば、超音波診断装置本体に超音波プローブ装置を正常に結合できたか否かを知ることが出来た。
しかし、超音波プローブ装置を見ただけでは、超音波診断装置本体に超音波プローブ装置を正常に結合できたか否かを知ることが出来ない問題点があった。
そこで、本発明の目的は、超音波プローブ装置を見ただけで、超音波診断装置本体に超音波プローブ装置を正常に結合できたか否かを知ることが出来る超音波プローブ装置および超音波診断装置を提供することにある。
【課題を解決するための手段】
【０００４】
第１の観点では、本発明は、超音波診断装置本体のプローブコネクタ部に結合されるコネクタ部を第１面に有すると共に前記超音波診断装置本体のプローブコネクタ部に前記コネクタ部を正常に結合した状態で点灯するインジケータ部を第２面に有するコネクタボックスと、前記コネクタボックスにケーブルで接続された超音波探触子とを具備したことを特徴とする超音波プローブ装置を提供する。
上記第１の観点による超音波プローブ装置では、超音波診断装置本体に超音波プローブ装置を結合した時、インジケータ部の点灯状態を見れば、正常に結合できたか否かを知ることが出来る。よって、操作者が超音波診断装置本体に超音波プローブ装置を結合した時の姿勢から伸び上がって超音波診断装置本体の表示部を見る必要がなくなり、操作者の負担を軽減できる。
【０００５】
第２の観点では、本発明は、前記第１の観点による超音波プローブ装置において、前記第２面が前記第１面の反対側面であることを特徴とする超音波プローブ装置を提供する。
上記第２の観点による超音波プローブ装置では、操作者が超音波診断装置本体に超音波プローブ装置を結合した時の視界にインジケータ部が入るから、自然にチェックできるようになる。
【０００６】
第３の観点では、本発明は、前記第１または前記第２の観点による超音波プローブ装置において、前記インジケータ部は、当該超音波プローブ装置がアクティブ状態かスリープ状態かで点灯状態が変わることを特徴とする超音波プローブ装置を提供する。
超音波診断装置本体に結合した超音波プローブ装置を外す時は、当該超音波プローブ装置がアクティブ状態であってはならない。つまり、超音波プローブ装置を外す前に、超音波プローブ装置がスリープ状態にあることを確認する必要がある。従来は、超音波診断装置本体の表示部を見て確認していた。
上記第３の観点による超音波プローブ装置では、操作者が超音波診断装置本体から超音波プローブ装置を外そうとした時の姿勢から伸び上がって超音波診断装置本体の表示部を見る必要がなくなり、操作者の負担を軽減できる。
【０００７】
第４の観点では、本発明は、前記第３の観点による超音波プローブ装置において、前記インジケータ部は、当該超音波プローブ装置がアクティブ状態かスリープ状態かで点灯色が変わることを特徴とする超音波プローブ装置を提供する。
上記第４の観点による超音波プローブ装置では、インジケータ部の点灯色を見て、超音波プローブ装置がアクティブ状態かスリープ状態かを操作者が視認できる。
【０００８】
第５の観点では、本発明は、前記第３または前記第４の観点による超音波プローブ装置において、前記インジケータ部は、当該超音波プローブ装置がアクティブ状態かスリープ状態かで点灯光度が変わることを特徴とする超音波プローブ装置を提供する。
上記第５の観点による超音波プローブ装置では、インジケータ部の点灯の明るさを見て、超音波プローブ装置がアクティブ状態かスリープ状態かを操作者が視認できる。
【０００９】
第６の観点では、本発明は、前記第３から前記第５のいずれかの観点による超音波プローブ装置において、前記インジケータ部は、当該超音波プローブ装置がアクティブ状態のときに点灯する光源とスリープ状態のときに点灯する光源とをそれぞれ有することを特徴とする超音波プローブ装置を提供する。
上記第６の観点による超音波プローブ装置では、どの光源が点灯しているのかを見て、超音波プローブ装置がアクティブ状態かスリープ状態かを操作者が視認できる。
【００１０】
第７の観点では、本発明は、前記第１から前記第６のいずれかの観点による超音波プローブ装置において、前記インジケータ部は、ネームプレートを兼ねていることを特徴とする超音波プローブ装置を提供する。
上記第７の観点による超音波プローブ装置では、超音波プローブ装置の型番を示すネームプレートの領域を活用できるので、小型のコネクタボックスに好適である。
【００１１】
第８の観点では、本発明は、前記第１から前記第７のいずれかの観点による超音波プローブ装置において、前記超音波診断装置本体のプローブコネクタ部に前記コネクタ部を結合した状態でロックするロック機構を前記コネクタボックスに具備し、前記ロックが解除されている状態では前記インジケータ部は点灯しないことを特徴とする超音波プローブ装置を提供する。
上記第８の観点による超音波プローブ装置では、インジケータ部の点灯状態を見て、正常にロックできたか否かをも判定できる。
【００１２】
第９の観点では、本発明は、プローブコネクタ部を有する超音波診断装置本体と、前記プローブコネクタ部に結合されるコネクタ部を第１面に有すると共に前記超音波診断装置本体のプローブコネクタ部に前記コネクタ部を正常に結合した状態で点灯するインジケータ部を第２面に有するコネクタボックスと、前記コネクタボックスにケーブルで接続された超音波探触子とを具備したことを特徴とする超音波診断装置を提供する。
上記第９の観点による超音波診断装置では、超音波診断装置本体に超音波プローブ装置を結合した時、インジケータ部の点灯状態を見れば、正常に結合できたか否かを知ることが出来る。よって、操作者が超音波診断装置本体に超音波プローブ装置を結合した時の姿勢から伸び上がって超音波診断装置本体の表示部を見る必要がなくなり、操作者の負担を軽減できる。
【００１３】
第１０の観点では、本発明は、前記第９の観点による超音波診断装置において、前記第２面が前記第１面の反対側面であることを特徴とする超音波診断装置を提供する。
上記第１０の観点による超音波診断装置では、操作者が超音波診断装置本体に超音波プローブ装置を結合した時の視界にインジケータ部が入るから、自然にチェックできるようになる。
【００１４】
第１１の観点では、本発明は、前記第９または前記第１０の観点による超音波診断装置において、前記インジケータ部は、前記超音波プローブ装置がアクティブ状態かスリープ状態かで点灯状態が変わることを特徴とする超音波診断装置を提供する。
上記第１１の観点による超音波診断装置では、操作者が超音波診断装置本体から超音波プローブ装置を外そうとした時の姿勢から伸び上がって超音波診断装置本体の表示部を見る必要がなくなり、操作者の負担を軽減できる。
【００１５】
第１２の観点では、本発明は、前記第１１の観点による超音波診断装置において、前記インジケータ部は、前記超音波プローブ装置がアクティブ状態かスリープ状態かで点灯色が変わることを特徴とする超音波診断装置を提供する。
上記第１２の観点による超音波診断装置では、インジケータ部の点灯色を見て、超音波プローブ装置がアクティブ状態かスリープ状態かを操作者が視認できる。
【００１６】
第１３の観点では、本発明は、前記第１１の観点による超音波診断装置において、前記インジケータ部は、前記超音波プローブ装置がアクティブ状態かスリープ状態かで点灯光度が変わることを特徴とする超音波診断装置を提供する。
上記第１３の観点による超音波診断装置では、インジケータ部の点灯の明るさを見て、超音波プローブ装置がアクティブ状態かスリープ状態かを操作者が視認できる。
【００１７】
第１４の観点では、本発明は、前記第１１または前記第１２の観点による超音波診断装置において、前記インジケータ部は、前記超音波プローブ装置がアクティブ状態のときに点灯する光源とスリープ状態のときに点灯する光源とをそれぞれ有することを特徴とする超音波診断装置を提供する。
上記第１４の観点による超音波診断装置では、どの光源が点灯しているのかを見て、超音波プローブ装置がアクティブ状態かスリープ状態かを操作者が視認できる。
【００１８】
第１５の観点では、本発明は、前記第９から前記第１４のいずれかの観点による超音波診断装置において、前記インジケータ部は、ネームプレートを兼ねていることを特徴とする超音波診断装置を提供する。
上記第１５の観点による超音波診断装置では、超音波プローブ装置の型番を示すネームプレートの領域を活用できるので、小型のコネクタボックスに好適である。
【００１９】
第１６の観点では、本発明は、前記第９から前記第１５のいずれかの観点による超音波診断装置において、前記超音波診断装置本体のプローブコネクタ部に前記コネクタ部を結合した状態でロックするロック機構を前記コネクタボックスに具備し、前記ロックが解除されている状態では前記インジケータ部は点灯しないことを特徴とする超音波診断装置を提供する。
上記第１６の観点による超音波診断装置では、インジケータ部の点灯状態を見て、正常にロックできたか否かをも判定できる。
【発明の効果】
【００２０】
本発明の超音波プローブ装置および超音波診断装置によれば、超音波診断装置本体に超音波プローブ装置を結合した時、インジケータ部の点灯状態を見れば、正常に結合できたか否かを知ることが出来る。よって、操作者が超音波診断装置本体に超音波プローブ装置を結合した時の姿勢から伸び上がって超音波診断装置本体の表示部を見る必要がなくなり、操作者の負担を軽減できる。
【発明を実施するための最良の形態】
【００２１】
以下、図に示す実施の形態により本発明をさらに詳細に説明する。なお、これにより本発明が限定されるものではない。
【実施例１】
【００２２】
図１は、実施例１にかかる超音波診断装置を示す構成図である。
この超音波診断装置１は、超音波診断装置本体２と、超音波プローブ装置１００とを具備してなる。
超音波診断装置本体２は、正面の下部に３基のプローブコネクタ部３を有すると共に、表示部４やタッチパネル部５を有している。
超音波プローブ装置１００は、コネクタボックス１０と、コネクタボックス１０にケーブル２０で接続された超音波探触子３０とを具備してなる。
【００２３】
図２は、超音波プローブ装置１００の外観図である。
コネクタボックス１０の正面には、インジケータ部１５と、ロックレバー１７とが設けられている。図に現れていない背面には、超音波診断装置本体２のプローブコネクタ部３に結合されるコネクタ部（図３の１１）が設けられている。
インジケータ部１５は、超音波プローブ装置１００の型番「Ａ０１」を示すネームプレートを兼ねている。
ロックレバー１７は、図２に示すように立てた位置にあるとき、ロックが解除されており、超音波診断装置本体２のプローブコネクタ部３にコネクタ部（図３の１１）を結合したり、プローブコネクタ部３から外したりすることが出来る。そして、超音波診断装置本体２のプローブコネクタ部３にコネクタ部（図３の１１）を結合した状態で、図１に示すようにロックレバー１７を９０゜回転させると、結合状態をロックすることが出来る。
【００２４】
図３は、超音波プローブ装置１００の機能を示す構成ブロック図である。
コネクタボックス１０には、超音波診断装置本体２からコネクタ部１１を介してパワーが供給される。
インタフェース部１２は、超音波診断装置本体２からコネクタ部１１を介して受け取った送信制御信号を信号処理部１３に伝達すると共に信号処理部１３から受け取ったエコー信号をコネクタ部１１を介して超音波診断装置本体２に伝達する。
信号処理部１３は、送信制御信号に基づいて超音波探触子３０のエレメントを駆動すると共に、超音波探触子３０のエレメントで受信した超音波エコーに基づくエコー信号を発生する。
【００２５】
インジケータ部１５は、緑色で明るいアクティブ状態表示用ＬＥＤ１５ａと、オレンジ色でやや暗いスリープ状態表示用ＬＥＤ１５ｓと、ロック状態で「オン」になるスイッチ１５ｄと、アクティブ状態表示用ＬＥＤ１５ａおよびスリープ状態表示用ＬＥＤ１５ｓの点滅を制御するインジケータ制御部１５ｃとからなる。
アクティブ状態表示用ＬＥＤ１５ａとスリープ状態表示用ＬＥＤ１５ｓは、半透明のネームプレートの内側に位置している。
【００２６】
インジケータ制御部１５ｃは、２ビットのフラグを有している。
このフラグは、通電開始時に「００」にパワーオンリセットされる。また、超音波診断装置本体２からコネクタ部１１およびインタフェース部１２を介して受け取ったアクティブフラグセット信号により「１０」になる。さらに、超音波診断装置本体２からコネクタ部１１およびインタフェース部１２を介して受け取ったスリープフラグセット信号により「０１」になる。
【００２７】
そして、インジケータ制御部１５ｃは、フラグが「００」なら、アクティブ状態表示用ＬＥＤ１５ａおよびスリープ状態表示用ＬＥＤ１５ｓを点灯しない。また、フラグが「１０」で且つスイッチ１５ｄが「オン」ならアクティブ状態表示用ＬＥＤ１５ａを点灯する。さらに、フラグが「０１」で且つスイッチ１５ｄが「オン」ならスリープ状態表示用ＬＥＤ１５ｓを点灯する。
【００２８】
実施例１の超音波プローブ装置１００および超音波診断装置１によれば、次の効果が得られる。
（１）超音波診断装置本体２に超音波プローブ装置１００を結合した時、インジケータ部１５が緑色またはオレンジ色に点灯していれば、正常に結合できたことが判る。いずれも点灯しなければ、正常に結合できていないか、超音波診断装置本体２及び／又は超音波プローブ装置１００に障害があることが判る。
（２）操作者が超音波診断装置本体２に超音波プローブ装置１００を結合した時、前屈みの姿勢になるが、その姿勢でインジケータ部１５を見て、アクティブ状態か、スリープ状態か、正常でないかが判る。従って、伸び上がって超音波診断装置本体２の表示部４やタッチパネル５の表示を見る必要がなくなり、操作者の負担を軽減できる。
【００２９】
（３）操作者が超音波診断装置本体２に超音波プローブ装置１００を結合した時の視界にインジケータ部１５が入るから、自然にインジケータ部１５をチェックできる。
（４）操作者が超音波診断装置本体２から超音波プローブ装置１００を外そうとした時、前屈みの姿勢になるが、その姿勢でインジケータ部１５を見て、アクティブ状態でなく、スリープ状態であることを確認できる。従って、伸び上がって超音波診断装置本体２の表示部４やタッチパネル５の表示を見る必要がなくなり、操作者の負担を軽減できる。
【００３０】
（５）インジケータ部１５の点灯色を見て、超音波プローブ装置１００がアクティブ状態かスリープ状態かを視認できる。
（６）インジケータ部１５の点灯の明るさを見ても、超音波プローブ装置１００がアクティブ状態かスリープ状態かを視認できる。
【００３１】
（７）インジケータ部１５がネームプレートの領域を兼用しているので、コネクタボックス１０の小型化に好適である。
（８）インジケータ部１５の点灯状態を見て、正常にロックできたか否かをも判定できる。
【実施例２】
【００３２】
図４に示すように、ネームプレートとは別の領域に、アクティブ状態表示用ＬＥＤ１５ａとスリープ状態表示用ＬＥＤ１５ｓとを並べて設けてもよい。
【実施例３】
【００３３】
図５に示すように、ＬＥＤ１５ｅを半透明のネームプレートの内側に設置し、超音波診断装置本体２からコネクタ部１１を介してパワーが供給され且つスイッチ１５ｄが「オン」ならＬＥＤ１５ｅを点灯するようにしてもよい。
【実施例４】
【００３４】
図６に示すように、ＬＥＤ１５ｅを半透明のネームプレートの内側に設置し、超音波診断装置本体２からコネクタ部１１を介してパワーが供給されたならＬＥＤ１５ｅを点灯するようにしてもよい。
【産業上の利用可能性】
【００３５】
超音波診断装置に利用することが出来る。
【図面の簡単な説明】
【００３６】
【図１】実施例１にかかる超音波診断装置を示す斜視図である。
【図２】実施例１にかかる超音波プローブ装置の正面図である。
【図３】実施例１にかかる超音波プローブ装置の機能を示す構成ブロック図である。
【図４】実施例２にかかる超音波プローブ装置の正面図である。
【図５】実施例３にかかる超音波プローブ装置の機能を示す構成ブロック図である。
【図６】実施例４にかかる超音波プローブ装置の機能を示す構成ブロック図である。
【符号の説明】
【００３７】
１          超音波診断装置
２          超音波診断装置本体
３          プローブコネクタ部
４          表示部
５          タッチパネル部
１０        コネクタボックス
１１        コネクタ部
１２        インタフェース部
１３        信号処理部
１５ａ      アクティブ状態表示用ＬＥＤ
１５ｃ      インジケータ制御部
１５ｄ      スイッチ
１５ｅ      ＬＥＤ
１５ｓ      スリープ状態表示用ＬＥＤ
３０        超音波探触子
１００      超音波プローブ装置
【図１】
2007330490.tif 000003
【図２】
2007330490.tif 000004
【図３】
2007330490.tif 000005
【図４】
2007330490.tif 000006
【図５】
2007330490.tif 000007
【図６】
2007330490.tif 000008